【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】
Ｕ字状または略Ｕ字状のステープルを結束部へ打ち出すドライバと、このドライバによって打ち出されたステープルの脚部を折り曲げるクリンチャとを備え、このクリンチャは、ステープルの打出方向に対して一定の曲率で湾曲してステープルの一対の脚部を内側へ折り曲げる第１,第２ガイド溝を有し、この第１,第２ガイド溝によって脚部を円形に折り曲げるとともに、前記クリンチャとドライバとによってステープル全体を円形にして袋口部を結束する結束装置であって、
前記第１ガイド溝の曲率中心位置と、第２ガイド溝の曲率中心位置とを所定距離オフセットし、
前記第１ガイド溝と第２ガイド溝の曲率半径を、円形に形成されたステープルが袋口部を結束して最終的な大きさとなる半径よりも小さく設定したことを特徴とする結束装置。
【請求項２】
前記第１ガイド溝と第２ガイド溝の曲率中心位置のオフセット率を、前記曲率半径に対して５％〜３０％に設定したことを特徴とする請求項１に記載の結束装置。
【請求項３】
Ｕ字状または略Ｕ字状のステープルを結束部へ打ち出すドライバと、このドライバによって打ち出されたステープルの脚部を折り曲げるクリンチャとを備え、このクリンチャは、ステープルの打出方向に対して一定の曲率で湾曲してステープルの一対の脚部を内側へ折り曲げる第１,第２ガイド溝を有し、この第１,第２ガイド溝によって脚部を円形に折り曲げるとともに、前記クリンチャとドライバとによってステープル全体を円形にして袋口部を結束する結束装置であって、
前記第１ガイド溝と第２ガイド溝を前後方向に対して一定の曲率で湾曲させ、互いに曲率中心位置をオフセットさせてステープルをハート形に折り曲げ、脚部が折り曲げ後にスプリングバックにより拡開して円形になるようにしたことを特徴とする結束装置。
【請求項４】
前記第１ガイド溝と第２ガイド溝において、一方のガイド溝のステープル先端部が入り込む側の端部と、他方のガイド溝のステープルが出る側の端部との間の距離を、ステープルの太さよりも大きくしたことを特徴とする請求項１ないし請求項３のいずれか１つに記載の結束装置。
【請求項５】
Ｕ字状のステープルを結束部へ打ち出すドライバと、このドライバによって打ち出されたステープルの脚部を折り曲げてステープルを円形に形成して袋口部を結束するクリンチャとを備えた結束装置であって、
前記ステープルを打ち出す際に、ドライバの先端部がステープルの背部に当接したとき、ドライバの先端部の中央部とステープルの背部との間に隙間ができる凹部をドライバの先端部に設けたことを特徴とする結束装置。
【請求項６】
前記ステープルを打ち出す際に、ドライバの先端部がステープルの背部に当接したとき、ドライバの先端部の中央部とステープルの背部との間に隙間ができる凹部をドライバの先端部に設けたことを特徴とする請求項５に記載の結束装置。
【請求項７】
前記ドライバの先端部に回転規制部を設け、前記ステープルをクリンチした際にこのステープルがクリンチャに対して回転するのを防止したことを特徴とする請求項６に記載の結束装置。
【手続補正２】
【補正対象書類名】明細書
【補正対象項目名】０００９
【補正方法】変更
【補正の内容】
【０００９】
【課題を解決する手段】
上記目的を達成するため、請求項１の発明は、Ｕ字状または略Ｕ字状のステープルを結束部へ打ち出すドライバと、このドライバによって打ち出されたステープルの脚部を折り曲げるクリンチャとを備え、このクリンチャは、ステープルの打出方向に対して一定の曲率で湾曲してステープルの一対の脚部を内側へ折り曲げる第１,第２ガイド溝を有し、この第１,第２ガイド溝によって脚部を円形に折り曲げるとともに、前記クリンチャとドライバとによってステープル全体を円形にして袋口部を結束する結束装置であって、
前記第１ガイド溝の曲率中心位置と、第２ガイド溝の曲率中心位置とを所定距離オフセットし、  前記第１ガイド溝と第２ガイド溝の曲率半径を、円形に形成されたステープルが袋口部を結束して最終的な大きさとなる半径よりも小さく設定したことを特徴とする。
【手続補正３】
【補正対象書類名】明細書
【補正対象項目名】００１０
【補正方法】変更
【補正の内容】
【００１０】
請求項２の発明は、前記第１ガイド溝と第２ガイド溝の曲率中心位置のオフセット率を、前記曲率半径に対して５％〜３０％に設定したことを特徴とする。
【手続補正４】
【補正対象書類名】明細書
【補正対象項目名】００１１
【補正方法】変更
【補正の内容】
【００１１】
請求項３の発明は、Ｕ字状または略Ｕ字状のステープルを結束部へ打ち出すドライバと、このドライバによって打ち出されたステープルの脚部を折り曲げるクリンチャとを備え、このクリンチャは、ステープルの打出方向に対して一定の曲率で湾曲してステープルの一対の脚部を内側へ折り曲げる第１,第２ガイド溝を有し、この第１,第２ガイド溝によって脚部を円形に折り曲げるとともに、前記クリンチャとドライバとによってステープル全体を円形にして袋口部を結束する結束装置であって、
前記第１ガイド溝と第２ガイド溝を前後方向に対して一定の曲率で湾曲させ、互いに曲率中心位置をオフセットさせてステープルをハート形に折り曲げ、脚部が折り曲げ後にスプリングバックにより拡開して円形になるようにしたことを特徴とする。
【手続補正５】
【補正対象書類名】明細書
【補正対象項目名】００１２
【補正方法】変更
【補正の内容】
【００１２】
請求項４の発明は、前記第１ガイド溝と第２ガイド溝において、一方のガイド溝のステープル先端部が入り込む側の端部と、他方のガイド溝のステープルが出る側の端部との間の距離を、ステープルの太さよりも大きくしたことを特徴とする。
請求項５の発明は、Ｕ字状のステープルを結束部へ打ち出すドライバと、このドライバによって打ち出されたステープルの脚部を折り曲げてステープルを円形に形成して袋口部を結束するクリンチャとを備えた結束装置であって、
前記ステープルを打ち出す際に、ドライバの先端部がステープルの背部に当接したとき、ドライバの先端部の中央部とステープルの背部との間に隙間ができる凹部をドライバの先端部に設けたことを特徴とする。
請求項６の発明は、前記ステープルを打ち出す際に、ドライバの先端部がステープルの背部に当接したとき、ドライバの先端部の中央部とステープルの背部との間に隙間ができる凹部をドライバの先端部に設けたことを特徴とする。
請求項７の発明は、前記ドライバの先端部に回転規制部を設け、前記ステープルをクリンチした際にこのステープルがクリンチャに対して回転するのを防止したことを特徴とする。
【手続補正６】
【補正対象書類名】明細書
【補正対象項目名】００３９
【補正方法】変更
【補正の内容】
【００３９】
【発明の効果】
以上説明したように、請求項１の発明によれば、Ｕ字状または略Ｕ字状のステープルを結束部へ打ち出すドライバと、このドライバによって打ち出されたステープルの脚部を折り曲げるクリンチャとを備え、このクリンチャは、ステープルの打出方向に対して一定の曲率で湾曲してステープルの一対の脚部を内側へ折り曲げる第１,第２ガイド溝を有し、この第１,第２ガイド溝によって脚部を円形に折り曲げるとともに、前記クリンチャとドライバとによってステープル全体を円形にして袋口部を結束する結束装置であって、前記第１ガイド溝の曲率中心位置と、第２ガイド溝の曲率中心位置とを所定距離オフセットし、前記第１ガイド溝と第２ガイド溝の曲率半径を、円形に形成されたステープルが袋口部を結束して最終的な大きさとなる半径よりも小さく設定したものであるから、ステープルの脚部のスプリングバックに拘わらず、脚部の先端部を形成される円形の外側へ突出させることなく、ステープルを円形状に折り曲げることができ、その先端部に指などが引っかかることなく且つ見栄えよく袋の口部を結束することができる。
請求項２ないし請求項４の発明によれば、ステープルの最適な折り曲げ効果が得られ、ステープルの最終形態を円形にすることができる。
【手続補正７】
【補正対象書類名】明細書
【補正対象項目名】００４０
【補正方法】変更
【補正の内容】
【００４０】
請求項５の発明によれば、Ｕ字状のステープルを結束部へ打ち出すドライバと、このドライバによって打ち出されたステープルの脚部を折り曲げてステープルを円形に形成して袋口部を結束するクリンチャとを備えた結束装置であって、前記ステープルを打ち出す際に、ドライバの先端部がステープルの背部に当接したとき、ドライバの先端部の中央部とステープルの背部との間に隙間ができる凹部をドライバの先端部に設けたものであるから、ステープルを円形に折り曲げることができる。
【手続補正８】
【補正対象書類名】明細書
【補正対象項目名】００４１
【補正方法】変更
【補正の内容】
【００４１】
請求項６の発明によれば、ステープルを打ち出す際に、ドライバの先端部がステープルの背部に当接したとき、ドライバの先端部の中央部とステープルの背部との間に隙間ができる凹部をドライバの先端部に設けたものであるから、ステープルを円形に折り曲げることができる。
【手続補正９】
【補正対象書類名】明細書
【補正対象項目名】００４２
【補正方法】変更
【補正の内容】
【００４２】
請求項７の発明によれば、ステープルをクリンチする際にそのステープルが回転してしまうことを防止することができるので、そのステープルを確実に円形にクリンチすることができる。